(57)【要約】      （修正有）【課題】モバイル型情報機器において、一方の手によって操作するキー配列を左右反転または平行移動してキーを重ね合わせ、重ね合ったキーの機能を兼用させることにより、容易にキーボードを小型化する。【解決手段】モバイル型情報機器において、一方の手によって操作するキー配列を左右反転して重ね合わせ、各キーを他方の手の同じ指で操作するように割り当ててキーを兼用する。または一方の手によって操作するキー配列を平行移動して重ね合わせ、各キーを他方の手によって操作するキー配列と兼用する。【選択図】図４
2006134199.tif 000002
【特許請求の範囲】
【請求項１】
キーボードの配列において、キー配列の一部を左右反転し、残りのキー配列上に重ね合わせ、キーを兼用させたことを特徴とするキー配列、上記キー配列を有するキーボード及び情報機器。
【請求項２】
キーボードの配列において、キー配列の一部を平行移動し、残りのキー配列上に重ね合わせ、キーを兼用させたことを特徴とするキー配列、上記キー配列を有するキーボード及び情報機器。
【請求項３】
請求項１または請求項２のいずれかに記載のキーボードにおいて、元のキー配置に応じて兼用キーの機能を表示することを特徴とするキーボード及び情報機器。
【請求項４】
請求項１から請求項３に記載の情報機器において、ポインティングデバイスを裏面に設けたことを特徴とする情報機器。
【請求項５】
請求項１から請求項４に記載の情報機器において、ポインティングデバイスを有する面を展開可能にしたことを特徴とする情報機器。
【請求項６】
請求項１から請求項５に記載の情報機器において、キーボード部をモニタ部に対して回転可能にしたことを特徴とする情報機器。
【請求項７】
請求項１から請求項６に記載の情報機器において、片手で容易に保持するための保持部を設けたことを特徴とする情報機器。
【発明の詳細な説明】
【技術分野】
【０００１】
この発明はコンピュータやワープロ、翻訳機等の情報機器への入力端末であるキーボードにおけるキーの配置に関する。
【背景技術】
【０００２】
近年、ユビキタス社会の構想がさけばれる中、手軽に持ち運ぶことのできるモバイル型コンピュータ（ノートパソコン）が普及し、パーソナルコンピュータにおける割合が増大している。また、半導体製造技術及びその周辺技術の向上により、コンピュータの性能が向上すると共に小型化も進んでいる。
【０００３】
モバイル型コンピュータの小型化を例に示すと、あるところで限界があることに気が付いた。それは、モバイル型コンピュータが小型化されていくことはコンピュータを構成するそれぞれの部品も小型化されなくてはならないことである。コンピュータを構成する部品の内、最も面積を要する部品はディスプレー及びキーボードである。ディスプレーを小型化する場合、全体を表示する必要があるときは文字を小さくすれば良く、文字を大きくする必要があれば文字数を減らせば良い。即ち、倍率を変更することによって、解決することができる。
【０００４】
しかし、キーボードをただ単に小さくすることはキーピッチが狭まってしまうため作業性が悪くなるという欠点を伴う。即ち、人の指の間隔以下にキー配列を行うと、キーを押す際に同時に隣のキーを押してしまうという作業性の面で問題があった。これらの対策として、右手用と左手用との２つの異なるキーを１つのキーで兼用することで小型化を図った発明（特開２００３−１２２４８４公報）がある。即ち、右側半分の部分を１８０°回転（点対称）して左側半分の部分の操作にそれぞれ重ね合わせるものである。
【特許文献１】特開２００３−１２２４８４公報（図３及び図８）
【発明の開示】
【発明が解決しようとする課題】
【０００５】
ところが、上記発明は右手用と左手用のキーが兼用になっているが、実際に入力する際には右手用キーコードを入力する際は右手で、左手用キーコードを入力する際は左手で入力することになり、右手の指と左手の指が込み入り、指と指がぶつかってしまう。特に、タッチタイプ（ブラインドタッチ）で高速入力しようとするとその傾向は顕著である。
また、タッチタイプ（ブラインドタッチ）を行わず、指一本で入力する場合、片手分のキー配列が１８０度点対称に回転されているため、従来のキーボード配列からキーを捜して入力するのに時間がかかってしまう。また、オフィス等で通常のパソコンを使用する際に混乱を招いてしまう。
【課題を解決するための手段】
【０００６】
コンピュータ、タイプライタやワードプロセッサ等のキー配列は、アルファベットについてはＱｗｅｒｔｙ配列（ASCII配列）が広く普及している。また、ひらがなまたはカタカナについてはＪＩＳ配列が用いられている。このため、コンピュータ等のメーカーやメーカーの帰属する国が異なってもキー配列は同じであるため、オペレータは迷うことなく情報を入力することができる。
【０００７】
そこで、本発明においては、下記に示すキーボードを提供することにより、前記課題を解決しようとするものである。
【０００８】
請求項１に記載の発明は、キーボードの配列において、キー配列の一部を左右反転し、残りのキー配列上に重ね合わせ、キーを兼用させたことを特徴とする。
【０００９】
請求項２に記載の発明は、キーボードの配列において、キー配列の一部を平行移動し、残りのキー配列上に重ね合わせ、キーを兼用させたことを特徴とする。
【００１０】
請求項３に記載の発明は、請求項１または請求項２のいずれかに記載のキーボードにおいて、元のキー配置に応じて兼用キーの機能を表示することを特徴とする。
【００１１】
請求項４に記載の発明は、請求項１から請求項３に記載の情報機器において、ポインティングデバイスを裏面に設けたことを特徴とする。
【００１２】
請求項５に記載の発明は、請求項１及び請求項４に記載の情報機器において、ポインティングデバイスを有する面を展開可能にしたことを特徴とする。
【００１３】
請求項６に記載の発明は、請求項１から請求項５に記載の情報機器において、キーボード部をモニタ部に対して回転可能にしたことを特徴とする。
【００１４】
請求項７に記載の発明は、請求項１から請求項６に記載の情報機器において、片手で容易に保持するための保持部を設けたことを特徴とする。
【発明の効果】
【００１５】
請求項１に記載の発明によれば、キーの大きさを小さくすることなく、キーボードを小型化することができる。また、本発明において右手と左手の違いはあるものの、使用する指は同じ指を用いることとなるので、両手でタッチタイプ（ブラインドタッチ）を行っているオペレータにとって、あまり混乱することなく、対応することができる。さらに、小型化することにより、片手で持つことができるので、片手で機器を保持しながら、もう片方の手でキー入力操作を行うことができる。
【００１６】
請求項２に記載の発明によれば、キーの大きさを小さくすることなく、キーボードを小型化することができる。また、本発明において指一本により入力する際に、キー配置が保もたれているため、あまり混乱することなく、今まで通りの感覚でキー入力を行うことができる。さらに、小型化することにより、片手で持つことができるので、片手で機器を保持しながら、もう片方の手でキー入力操作を行うことができる。
【００１７】
請求項３に記載の発明によれば、キーの入力に慣れていない場合、キーの機能を確認しながら入力することとなる。この際に、元々左側に配置されていたキーの機能をキーの左側に表示し、元々右側に配置されていたキーの機能をキーの右側に表示することにより、認識することが非常に容易になる。
【００１８】
請求項１または請求項２に記載の発明によれば、キー入力は片手で行うことができるので、残りの手で機器を保持することになる。ここで、必ずしも全ての指で機器を保持する必要がないため、請求項４に記載の発明により、保持に使用していない指でポインティングデバイスの操作を行うことができる。このことにより、キー入力操作を行った直後または行うと同時にカーソルのポイント位置を変更することができる。このため、操作が容易且つ早急に行うことができる。
【００１９】
請求項５に記載の発明によれば、情報機器の裏面ではなく、上面にポインティングデバイスを向けることができるため、机等の上に置いた場合においても、ポインティングデバイスを容易に操作することができる。
【００２０】
請求項６に記載の発明によれば、キー配列を変えることなく、キーボードのキー側を下にした状態でキー入力することができる。このため、単にキーを入力するような単純な操作の場合、片方の手で持ち且つその手の指でキー入力することができる。
【００２１】
請求項７に記載の発明によれば、より安定して片手で機器を保持することができるので、片手でキーボードの操作が容易に行えると共に、もう片方の手で機器を保持しながら、ポインティングデバイスの操作を確実に行うことができる。このため、駅構内で電車を待っていたり、公園を歩いていたり、街角で待ち合わせをしているときなど、特別な場所でなくともパソコンの操作を行うことができる。
【発明を実施するための最良の形態】
【００２２】
以下に本発明の実施の形態を説明する。比較のために、モバイル型コンピュータを例として従来のモバイル型情報機器について示す。従来のモバイル型コンピュータ１は主にキーボード２、モニタ３及びポインティングデバイス４よりなる。キーボード２については図２に示すようにＱｗｅｒｔｙ配列による文字キー及び記号キーが配置されている。ここで、これらの文字キー及び記号キーについて、タッチタイプ（ブラインドタッチ）によりキー入力を行う際に、右手で操作するキーを右手キー７、左手で操作するキーを左手キー８とする。
【００２３】
第１の発明を実施するための最良の形態として、モバイル型情報機器についてモバイル型コンピュータを例に説明する。図３に示すように本発明におけるモバイル型コンピュータ１１は主に本発明の主体となるキーボード１２、モニタ部１３、ポインティングデバイス部１４（タッチパッド、左クリックボタン及び右クリックボタン）及び左手キー入力モード／右手キー入力モード切替スイッチ（以下、Ｌ／Ｒ切替スイッチと略す）１５からなる。ここで、キーボード１２には従来の左手キー７及び右手キー８を兼用する兼用キー１６が設けられている。ここでは、ポインティングデバイスとしてタッチパッドを例に挙げたが、本発明ではタッチパッドに限定するものではなく、ジョイスティックやトラックボール等ポインティング機能を有するものであれば良い。
【００２４】
キーボードの配列について具体的に図４を用いて示す。ここで、右手で操作するキーを右手操作キー群２１、左手で操作するキーを左手操作キー群２２とする。まず、左手キー群２２の各段を線対称に左右に回転する。即ち、第１段キー群２３を左右に１８０度回転させ、反転第１段キー群２７とする。同様に、第２段キー群２４を左右に１８０度回転させ、反転第２段キー群２８に、第３段キー群２５を反転第３段キー群２９に、第４段キー群２６を反転第４段キー群３０とする。これらの反転第１段キー群２７から反転第４段キー群３０までをまとめて反転左手キー群３１と呼ぶことにする。この反転左手キー群３１を右手キー群２２上に重ね合わせて兼用させる。
【００２５】
このことにより、右手で操作するキーはそのまま入力し、従来左手で操作するキーを入力する際には図３に示すＬ／Ｒ切替スイッチ１５を押しながら、左右反転された当該キーを押す。よって、Ｌ／Ｒ切替スイッチが押されていないときは右手キー群２１の文字が入力され、Ｌ／Ｒ切替スイッチが押されたときは左手キー群３１の文字が入力される。
【００２６】
具体的には従来のキーボードにおいて右手で入力していたキーの操作は変わらないが、従来のキーボードにおいて左手で入力していたキーの操作は以下のように行う。従来の左手人差し指で入力していた５、４、Ｔ、Ｒ、Ｇ、Ｆ、Ｂ、ＶはＬ／Ｒ切替スイッチ１５を押しながら、右手の人差し指でそれぞれ６、７、Ｙ、Ｕ、Ｈ、Ｊ、Ｎ、Ｍキーにより入力する。同様に、従来の左手中指で入力していた３、Ｅ、Ｄ、ＣはＬ／Ｒ切替スイッチ１５を押しながら右手の中指でそれぞれ８、Ｉ、Ｋ、＜キーにより入力し、従来の左手薬指で入力していた２、Ｗ、Ｓ、ＸはＬ／Ｒ切替スイッチ１５を押しながら右手の中指でそれぞれ９、Ｏ、Ｌ、＞キーにより入力し、さらに、従来の左手小指で入力していた１、Ｑ、Ａ、ＺはＬ／Ｒ切替スイッチ１５を押しながら右手の小指でそれぞれ０、Ｐ、＋、？キーにより入力する。
【００２７】
ここでは右手のキーで左手のキーを兼用することについて述べたが、逆に、キーボードの配列のうち左手で操作するキーはそのまま残し、右手で操作するキーを左右反転して左手で操作するキーに兼用させても良い。また、Ｌ／Ｒ切替スイッチ１５が押されていない時のキー配列は右手キーモードである必要はなく、即ち、通常は左手キーモードであって、Ｌ／Ｒ切替スイッチ１５を押すことにより、右手キーモードに切り替わっても良い。このＬ／Ｒ切替スイッチ１５が押されていない時の入力モードの選択機能をソフトウェア上またはハード切替スイッチにより設けても良い。
【００２８】
上記の例は英語のアルファベットに関するキー配列について述べたが、本発明は英語のアルファベットに限定するものではなく、カナ、ハングル文字及び漢字など各国で使用される文字のキー配列についても適用することは言うまでもない。
【００２９】
第２の発明を実施するための最良の形態として、第１の発明の実施するための形態と同様にモバイル型情報機器についてモバイル型コンピュータを例に説明する。コンピュータの構成は第１の発明と同様に、図３に示すように本発明におけるモバイル型コンピュータ１１は主に本発明の主体となるキーボード１２、モニタ部１３、ポインティングデバイス部１４（タッチパッド、左クリックボタン及び右クリックボタン）及び左手キー入力モード／右手キー入力モード切替スイッチ（以下、Ｌ／Ｒ切替スイッチと略す）１５からなる。ここで、キーボード１２には従来の左手キー７及び右手キー８を兼用する兼用キー１６が設けられている。また、ポインティングデバイスとしてタッチパッドを例に挙げたが、本発明においてもタッチパッドに限定するものではなく、ジョイスティックやトラックボール等ポインティング機能を有するものであれば良い。
【００３０】
キーボードの配列について具体的に図５を用いて示す。ここで、右手で操作するキーを右手キー群３３、左手で操作するキーを左手キー群３４とする。左手キー群３４を平行移動し、右手キー群３３上に重ね合わせて兼用させる。
【００３１】
このことにより、右手キー群３３はそのまま入力し、左手キー群３４はＬ／Ｒ切替スイッチ１５を押して入力する。このため、指一本により入力する場合でも、左手キー群３４及び右手キー群３３は共にＱｗｅｒｔｙ配列により配置されており、キー配置が保もたれているため、あまり混乱することなく、今まで通りの感覚でキー入力を行うことができる。また、キーの大きさを小さくすることなく、キーボードを小型化することができるので、片手で機器を保持しながら、もう片方の手でキー入力操作を行うことができる。
【００３２】
ここで、Ｌ／Ｒ切替スイッチ１５が押されていない時のキー配列は右手キーモードである必要はなく、即ち、通常は左手キーモードであって、Ｌ／Ｒ切替スイッチ１５を押すことにより、右手キーモードに切り替わっても良い。このＬ／Ｒ切替スイッチ１５が押されていない時の入力モードの選択機能をソフトウェア上またはハード切替スイッチにより設けても良い。
【００３３】
上記の例は英語のアルファベットに関するキー配列について述べたが、本発明は英語のアルファベットに限定するものではなく、カナ、ハングル文字及び漢字など各国で使用される文字のキー配列についても適用することは言うまでもない。
【００３４】
第３の発明を実施するための最良の形態として、第１の発明及び第２の発明に対してそれぞれ図６及び図７を用いて説明する。
【００３５】
まず、第１の発明に対しては、図６に示すように、図４における右手操作キー群２１の各キーの機能を兼用キー群３７の当該キーの右側に、左手操作キー群２２を左右に１８０度回転させた反転左手キー群３１の各キーの機能を兼用キー群３７の当該キーの左側に配置して表示する。このことにより、十分に慣れていないオペレータが両手でタッチタイプ（ブラインドタッチ）を行う際にキーの機能を確認する場合、左手操作キーが左側に表示され、右手操作キーが右側に表示されていると容易に確認することができる。
【００３６】
次に、第２の発明に対しては、図７に示すように、図５における右手操作キー群３３の各キーの機能を兼用キー群３９の当該キーの右側に、左手操作キー群３４の各キーの機能を兼用キー群３９の当該キーの左側に配置して表示する。このことにより、指一本により入力しているオペレータがキー入力を行う際に機能を確認する場合、キー配置が保もたれているため、あまり混乱することなく、今まで通りの感覚でキー入力を行うことができる。
【００３７】
第４の発明を実施するための最良の形態として、図９に示すように、ポインティングデバイス４６をキーボードまたはコンピュータ等の情報機器の裏面に配し、キーボード操作を行わない側の手でキーボードまたはコンピュータ等の情報機器を支えると共に自由な指でポインティングデバイスの操作を行う。このことにより、図８に示すように、情報機器の更なる小型化が実現できる。
【００３８】
また、左手キーモードと右手キーモードの切替の手段として、請求項１に記載のＬ/R切替スイッチ４４を情報機器本体４１の表面に設ける他に、側面にＬ/R切替スイッチ４５及び／または裏面にＬ/R切替スイッチ４７を設ける。このことにより、片方の手はキー４２の入力に専念することができ、もう一方の手で左手キーモードと右手キーモードの切替、カーソル（ポインタ）位置の操作、右クリック及び左クリックの操作を行うことができる。これらのことにより、キー入力を行った直後または行うと同時にカーソルのポイント位置を変更することができ、操作が容易且つ早急に行うことができる。
【００３９】
具体的には左手の親指、中指及び小指でキーボードまたはコンピュータ等の情報機器を支え、人差し指でポインティングデバイス４６を操作し、親指でＬ/R切替スイッチ４５または薬指で４７を操作してキーボードの右手機能と左手機能を切り替える。右手ではキーボード４２を操作する。
【００４０】
ここで、右手でキーボードを操作してキーを入力し、左手でポインティングデバイスやＬ/R切替スイッチを操作することについて述べたが、第１の発明を実施するための最良の形態においても記載したように、左手と右手は逆であっても構わない。また、Ｌ/R切替スイッチ４７は薬指でなくとも操作のしやすい別の指に割り当てても良い。さらに、ポインティングデバイス４６を操作するのも人差し指でなくとも操作のしやすい別の指に割り当てても良い。
【００４１】
第５の発明を実行するための最良の形態として、コンピュータ等の情報機器におけるポインティングデバイス４６を有する情報機器裏面のパネル４８を本体４１またはキーボード４２から展開できる構造としておく。通常は折りたたんでおき、必要に応じて図１０に示すように展開して使用する。具体的には机上に置いて操作するような場合、ポインティングデバイス４６等が情報機器の裏面にあると、ポインティング操作等を行うことが非常に困難になる。しかし、本発明ではポインティングデバイス４６等を有するパネル４８が展開できる構造となっているため、机上に置いて操作する場合でも、当該パネル４８を展開してから机上に置くことで、ポインティングデバイス４６を操作することが容易にできる。
【００４２】
上記具体例は、ポインティングデバイス４６等を有するパネル４８を左側に展開する構造について示したが、本発明においてはこれを限定するものではなく、何れの方向に展開しても良い。具体的には、ここでは右手でキーボード入力を行うことを例に示したため、左側に展開する構造について示したが、左手でキーボード入力を行う際には右側にポインティングデバイス４６等を有するパネル４８を展開できる構造とすればよい。また、何れの手でキーボード入力操作を行う場合においても、ポインティングデバイス４６等を有するパネル４８を下側に展開しても、クリックの左右が逆になるだけで、キーボードのキーの配置が逆になることとは異なり、あまり大きな問題ではない。
【００４３】
さらに、上記具体例はポインティングデバイス４６を有するパネル４８を折りたたむ構造について示したが、本発明に於いてはポインティングデバイス４６を有するパネル４８を収納及び展開する構造について限定するものではなく、情報機器本体４１とポインティングデバイス４６を有するパネルにコネクタを設けておき、完全に取り外して再び取り付ける際にコネクタ部を通じて信号及び電源の供給を行っても良い。また、ポインティングデバイス４６としてタッチパッドを例に挙げたが、本発明ではタッチパッドに限定するものではなく、ジョイスティックやトラックボールであっても良い。
【００４４】
第６の発明を実行するための最良の形態として、図１１に示すようにキーボードまたは本体４１とモニタ４３との接続部に回転機構４９を設ける。回転機構４９を軸にモニタ４３に対してキーボード４２を含む本体４１を図１２に示すように１８０°回転させる。ここで、回転させる方向としてキー配列に対して縦方向の軸５０を回転軸として回転させる。即ち、タッチタイプ（ブラインドタッチ）の状態に手を置いた際に、手首を返す方向にキーボード４２を回転させる。これはキー配列に対して横方向の軸を回転軸として回転させると、手の指を自分に向けて操作しないとならないので、非常に作業性が悪くなるためである。
【００４５】
キー配列に対して縦方向の軸５０を回転軸としてキーボードを回転することにより、操作性を損なうことなく、キーボードによる入力を片手のみで行うことができる。即ち、キーのみを入力するような単純な操作の場合、片方の手で持ち且つその手の指でキー入力することができる。
【００４６】
第７の発明を実行するための最良の形態として、キーボードまたはコンピュータ等の情報機器を片手で支えるのに十分な保持機能を設ける。具体的には図１３に示すように、キーボードまたはコンピュータ等の情報機器５１の裏面に本体保持具５２を設け、保持側の手を固定できるようにする。また、当該の本体保持具５２は情報機器本体の一部または全てを覆うように取り付けられているため、情報機器を片手でしっかり保持できると共に、ポインティングデバイスの操作やＬ/Ｒ切替スイッチを確実に操作することができる。
【００４７】
そのため、当該本体保持具５２は不特定多数の人に適合する様、伸縮自在か長さを調整可能となっている。ここで、本体保持具５２として、布製または革製あるいは柔軟な樹脂のような柔軟性を有する材料により形成され、手が丁度収まる形状となっている。または、面ファスナーの様に長さを自由に調整できるため、手を固定する構造となっている。
【００４８】
第７の発明を実行するための別の形態として、キーボードまたはコンピュータ等の情報機器を片手で支えるために、図１４に示すように、キーボードまたはコンピュータ等の情報機器５３の裏面に本体保持具５４ａから５４ｆを設け、保持側の手を固定できるようにする。この際、５４ａから５４ｅまでは手の指を固定し、５４ｆにより手首を固定する。この本体保持具５４は樹脂または革、合皮などによって作成されている。または、面ファスナーの様に長さを自由に調整できるため、指や手首を固定する構造となっている。
【００４９】
ここで、上記具体例では情報機器を保持する素材として、柔軟性を有する素材により形成されることについて示したが、本発明に於いては柔軟性を有する素材に限定するものではなく、樹脂によりポインティングデバイスの操作やL/R切替スイッチの操作に影響のない指を固定する構造であっても良い。
【図面の簡単な説明】
【００５０】
【図１】従来のコンピュータの例を示すブロック図
【図２】従来のキーボードの例を示すブロック図
【図３】本発明の第１及び第２の実施例を示すブロック図
【図４】本発明の第１の実施例にけるキーの配置方法を示すブロック図
【図５】本発明の第２の実施例にけるキーの配置方法を示すブロック図
【図６】本発明の第３の実施例を示すブロック図
【図７】本発明の第３の実施例を示すブロック図
【図８】本発明の第４の実施例を示すブロック図
【図９】本発明の第４の実施例を示すブロック図
【図１０】本発明の第５の実施例を示すブロック図
【図１１】本発明の第６の実施例を示すブロック図
【図１２】本発明の第６の実施例を示すブロック図
【図１３】本発明の第７の実施例を示すブロック図
【図１４】本発明の第７の実施例を示すブロック図
【符号の説明】
【００５１】
１  従来のモバイル型コンピュータ、２  従来のキーボード、３  モニタ、４  ポインティングデバイス、７  従来のキーボードの右手操作キー、８  従来のキーボードの左手操作キー、１１  本発明によるモバイル型コンピュータ、１２  本発明によるキーボード、１３  モニタ、１４  ポインティングデバイス、１５  左手キーモード／右手キーモード切替スイッチ、１６  本発明による兼用キー配列、２１  右手操作キー群、  ２２  左手操作キー群、２３  第１段キー群、２４  第２段キー群、２５  第３段キー群、２６  第４段キー群、２７  反転第１段キー群、２８  反転第２段キー群、２９  反転第３段キー群、３０  反転第４段キー群、３１  反転左手キー群、３２  兼用キー群、３３  右手操作キー群、３４  左手操作キー群、３５  兼用キー群、３６  本発明によるキーボード、３７  兼用キー群の表示例、３８  本発明によるキーボード、３９  兼用キー群の表示例、４１  本発明によるモバイル型コンピュータの例、４２  本発明によるキーボード、４３  モニタ、４４  左手入力操作キーモード／右手入力操作キーモード切替スイッチ、４５  左手入力操作キーモード／右手入力操作キーモード切替スイッチ、４６  裏面に配置したポインティングデバイス、４７  裏面に配置した左手入力操作キーモード／右手入力操作キーモード切替スイッチ、４８  展開した裏面パネル、４９  キーボード回転機構、５０  キーボードの回転軸、５１  本発明によるモバイル型コンピュータの例、５２  本体保持具の例、５３  本発明によるモバイル型コンピュータの例、５４  本体保持具の例
【図１】
2006134199.tif 000003
【図２】
2006134199.tif 000004
【図３】
2006134199.tif 000005
【図４】
2006134199.tif 000006
【図５】
2006134199.tif 000007
【図６】
2006134199.tif 000008
【図７】
2006134199.tif 000009
【図８】
2006134199.tif 000010
【図９】
2006134199.tif 000011
【図１０】
2006134199.tif 000012
【図１１】
2006134199.tif 000013
【図１２】
2006134199.tif 000014
【図１３】
2006134199.tif 000015
【図１４】
2006134199.tif 000016